(57)【特許請求の範囲】
【請求項１】
箱型に組み立てられた大型折り畳みコンテナーの上に、複数の箱型に組み立てられた小型折り畳みコンテナーを段積みすることが可能な折り畳みコンテナーにおいて、大型折り畳みコンテナーの長側壁のフランジには、該フランジの先端から大型折り畳みコンテナーの内側方向に向かう複数の嵌合切り欠きが形成されており、また、小型折り畳みコンテナーの底部の短辺部の下端には、該下端から下方に延在するとともに、大型折り畳みコンテナーの開口部に嵌合される嵌合土手部の下面を越えて下方に延在しないように形成された複数の嵌合片が垂設されており、箱型に組み立てられた大型折り畳みコンテナーの上に、複数の箱型に組み立てられた小型折り畳みコンテナーを段積みした際に、大型折り畳みコンテナーの長側壁のフランジに形成された前記嵌合切り欠きに、小型折り畳みコンテナーの底部の短辺部の下端に垂設された前記嵌合片が嵌合するように構成することにより、下に位置する大型折り畳みコンテナーの長側壁の外側への膨出が阻止されるように構成されていることを特徴とする折り畳みコンテナー。
【発明の詳細な説明】
【０００１】
【発明の属する技術分野】
本発明は、箱型に組み立てられた状態から、一方の相対する側壁を、底部に重なるように倒し、次いで、もう一方の相対する側壁を、底部に重なるように倒された側壁に、重なるように倒すことにより折り畳むことが可能な折り畳みコンテナーに関するものである。
【０００２】
【従来の技術】
図９に示されているような、平面形状が略長方形状の底部１と、底部１の相対する長辺部１ａにヒンジ連結された長側壁２と、底部１の相対する短辺部１ｂにヒンジ連結された短側壁３とからなり、底部１と長側壁２とのヒンジ連結位置が、底部１と短側壁３とのヒンジ連結位置より、低く構成されている折り畳みコンテナーＣ１が知られている。そして、図９に示されている箱型に組み立てられた状態から、先ず最初に、図１０に示されているように、底部１に重なるように、相対する長側壁２を倒し、次いで、底部１に重なるように倒された長側壁２の上に、相対する短側壁３を、重なるように倒すことにより、図１１に示されているように、折り畳みコンテナーＣ１を、高さの低いコンパクトな状態に折り畳むことができるように構成されている。
【０００３】
ところで、従来より、図１２に示されているように、上述した箱型に組み立てられた折り畳みコンテナーＣ１の上に、折り畳みコンテナーＣ１より小型の２個の折り畳みコンテナーＣ２を積み重ねることが行われている。以下、便宜的に、上述した折り畳みコンテナーＣ１を、大型折り畳みコンテナーと称し、大型折り畳みコンテナーＣ１の上に積み重ねられる小型の折り畳みコンテナーＣ２を、小型折り畳みコンテナーと称する。
【０００４】
小型折り畳みコンテナーＣ２も、底部１０と、底部１０の相対する長辺部１０ａにヒンジ連結された長側壁２０と、底部１０の相対する短辺部１０ｂにヒンジ連結された短側壁３０とからなり、底部１０と長側壁２０とのヒンジ連結位置が、底部１０と短側壁３０とのヒンジ連結位置より、低く構成されている。そして、上述した大型折り畳みコンテナーＣ１と同様に、箱型に組み立てられた状態から、先ず最初に、底部１０に重なるように、相対する長側壁２０を倒し、次いで、底部１０に重なるように倒された長側壁２０の上に、相対する短側壁３０を、重なるように倒すことにより、小型折り畳みコンテナーＣ２を、高さの低いコンパクトな状態に折り畳むことができるように構成されている。
【０００５】
小型折り畳みコンテナーＣ２の底部１０の長辺部１０ａの横幅は、大型折り畳みコンテナーＣ１の底部１の短辺部１ｂの横幅と略同じ幅に形成されており、また、小型折り畳みコンテナーＣ２の底部１０の短辺部１０ｂの横幅は、大型折り畳みコンテナーＣ１の底部１の長辺部１ａの横幅の略半分の幅に形成されている。従って、図１２に示されているように、下に位置する箱型に組み立てられた大型折り畳みコンテナーＣ１の短側壁３に沿って、上に位置する箱型に組み立てられた小型折り畳みコンテナーＣ２の長側壁２０を配置し、また、下に位置する箱型に組み立てられた大型折り畳みコンテナーＣ１の長側壁２に沿って、上に位置する箱型に組み立てられた小型折り畳みコンテナーＣ２の短側壁３０を配置することにより、箱型に組み立てられた大型折り畳みコンテナーＣ１の上に、２個の箱型に組み立てられた小型折り畳みコンテナーＣ２を積み重ねることができるように構成されている。
【０００６】
【発明が解決しようとする課題】
図１２に示されているように、箱型に組み立てられた大型折り畳みコンテナーＣ１の上に、２個の箱型に組み立てられた小型折り畳みコンテナーＣ２を積み重ねる、即ち、段積みすると、上に位置する小型折り畳みコンテナーＣ２に重い物品が収納されている場合には、小型折り畳みコンテナーＣ２の重さにより、下に位置する大型折り畳みコンテナーＣ１の長側壁２の中央部が外側に膨らみ、下に位置する大型折り畳みコンテナーＣ１の長側壁２の中央部に載置されている小型折り畳みコンテナーＣ２の角部が、下に位置する大型折り畳みコンテナーＣ１の長側壁２から外れて、上に位置する小型折り畳みコンテナーＣ２が、傾いたり、落下するという問題があった。
【０００７】
また、大型折り畳みコンテナーＣ１や小型折り畳みコンテナーＣ２等の折り畳みコンテナーにおいては、相対する短側壁３、３０のみに、持ち手用開口３ａ、３０ａが形成されており、相対する長側壁２、２０には、持ち手用開口が形成されていないので、折り畳みコンテナーを持つ際には、作業者は、持ち手用開口３ａ、３０ａの位置を確認し、持ち手用開口３ａ、３０ａが形成されていない長側壁２、２０に位置しなければならず、折り畳みコンテナーの運搬作業の作業性が悪いという問題があった。長側壁２、２０と短側壁３、３０の幅が大きく異なり、長側壁２、２０と短側壁３、３０との視認が簡単にできる場合はよいが、折り畳みコンテナーの平面形状が正方形の場合や、長側壁２、２０と短側壁３、３０の幅に大きな差がない場合には、作業者が、持ち手用開口３ａ、３０ａがどちらの側壁に形成されているかを、その都度、確認しなければならないという問題があった。
【０００８】
本発明の目的は、上述した従来の折り畳みコンテナーが有する課題を解決することにある。
【０００９】
【課題を解決するための手段】
本発明は、上述した目的を達成するために、箱型に組み立てられた大型折り畳みコンテナーの上に、複数の箱型に組み立てられた小型折り畳みコンテナーを段積みすることが可能な折り畳みコンテナーにおいて、大型折り畳みコンテナーの長側壁のフランジには、該フランジの先端から大型折り畳みコンテナーの内側方向に向かう複数の嵌合切り欠きが形成されており、また、小型折り畳みコンテナーの底部の短辺部の下端には、該下端から下方に延在するとともに、大型折り畳みコンテナーの開口部に嵌合される嵌合土手部の下面を越えて下方に延在しないように形成された複数の嵌合片が垂設されており、箱型に組み立てられた大型折り畳みコンテナーの上に、複数の箱型に組み立てられた小型折り畳みコンテナーを段積みした際に、大型折り畳みコンテナーの長側壁のフランジに形成された前記嵌合切り欠きに、小型折り畳みコンテナーの底部の短辺部の下端に垂設された前記嵌合片が嵌合するように構成することにより、下に位置する大型折り畳みコンテナーの長側壁の外側への膨出を阻止するように構成したものである。
【００１０】
【実施例】
以下に、本発明の実施例について説明するが、本発明の趣旨を越えない限り何ら、本実施例に限定されるものではない。なお、上述した大型折り畳みコンテナーＣ１及び小型折り畳みコンテナーＣ２は、以下に説明する本発明における大型折り畳みコンテナー及び小型折り畳みコンテナーと略同じ構成を有しているので、同じ構成部材については、上述した大型折り畳みコンテナーＣ１及び小型折り畳みコンテナーＣ２と同じ符号を使用するとともに、その詳細な説明は省略する。
【００１１】
大型折り畳みコンテナーＣ１の長側壁２及び短側壁３には、その上端から、水平方向に外側に延在するフランジ２ａ、３ａが、それぞれ形成されている。大型折り畳みコンテナーＣ１の長側壁２に形成されたフランジ２ａには、フランジ２ａの先端から大型折り畳みコンテナーＣ１の内側方向に向かう嵌合切り欠き２ｂが形成されている。本実施例においては、相対する長側壁２に形成されたフランジ２ａに、それぞれ、４個の嵌合切り欠き２ｂが形成されており、４個の嵌合切り欠き２ｂは、長側壁２の両端部寄りに２個及び中央部寄りの２個、形成されてる。
【００１２】
図３に示されているように、小型折り畳みコンテナーＣ２の底部１０の裏面には、公知のように、箱型に組み立てられた小型折り畳みコンテナーＣ２同士を段積みする際に、或いは、上述した図１２に示されているように、箱型に組み立てられた大型折り畳みコンテナーＣ１の上に、箱型に組み立てられた小型折り畳みコンテナーＣ２を段積みする際に、下に位置する小型折り畳みコンテナーＣ２或いは大型折り畳みコンテナーＣ１の開口部に嵌合する嵌合土手部１０ｃが形成されている。また、底部１０の相対する短辺部１０ｂの下端の両端部付近には、下端から下方に延在する嵌合片１０ｄが、所定の間隔を置いて、それぞれ一対、垂設されており、嵌合片１０ｄは、嵌合土手部１０ｃの下面を越えて、下方に延在しないように構成されている。
【００１３】
上述した従来の小型折り畳みコンテナーＣ２と同様に、小型折り畳みコンテナーＣ２の底部１０の長辺部１０ａの横幅は、大型折り畳みコンテナーＣ１の底部１の短辺部１ｂの横幅と略同じ幅に形成されており、また、小型折り畳みコンテナーＣ２の底部１０の短辺部１０ｂの横幅は、大型折り畳みコンテナーＣ１の底部１の長辺部１ａの横幅の略半分の幅に形成されているので、下に位置する箱型に組み立てられた大型折り畳みコンテナーＣ１の短側壁３に沿って、上に位置する箱型に組み立てられた小型折り畳みコンテナーＣ２の長側壁２０を配置し、また、下に位置する箱型に組み立てられた大型折り畳みコンテナーＣ１の長側壁２に沿って、上に位置する箱型に組み立てられた小型折り畳みコンテナーＣ２の短側壁３０を配置することにより、箱型に組み立てられた大型折り畳みコンテナーＣ１の上に、２個の箱型に組み立てられた小型折り畳みコンテナーＣ２を積み重ねることができる。このように、下に位置する大型折り畳みコンテナーＣ１の上に、小型折り畳みコンテナーＣ２を積み重ねる際には、上に位置する小型折り畳みコンテナーＣ２の底部１０の短辺部１０ｂの両端部付近に垂設された嵌合片１０ｄが、下に位置する大型折り畳みコンテナーＣ１の長側壁２のフランジ２ａに形成された長側壁２の端部寄りの嵌合切り欠き２ｂ及び中央部寄りに形成された嵌合切り欠き２ｂに嵌合するように構成されている。
【００１４】
上述したように、下に位置する大型折り畳みコンテナーＣ１の上に、小型折り畳みコンテナーＣ２を積み重ねる際に、上に位置する小型折り畳みコンテナーＣ２の底部１０の短辺部１０ｂに垂設された嵌合片１０ｄが、下に位置する大型折り畳みコンテナーＣ１の長側壁２のフランジ２ａに形成された嵌合切り欠き２ｂに嵌合するように構成されているので、小型折り畳みコンテナーＣ２の重さにより、下に位置する大型折り畳みコンテナーＣ１の長側壁２が外側に膨らもうとしても、大型折り畳みコンテナーＣ１の長側壁２のフランジ２ａに形成された嵌合切り欠き２ｂに嵌合されている、上に位置する小型折り畳みコンテナーＣ２の底部１０の短辺部１０ｂに垂設された嵌合片１０ｄにより、下に位置する大型折り畳みコンテナーＣ１の長側壁２の外側への膨出が阻止されるので、従って、小型折り畳みコンテナーＣ２が、下に位置する大型折り畳みコンテナーＣ１の長側壁２から外れて、傾いたり、落下するようなトラブルを防止することができるとともに、安定した状態で、大型折り畳みコンテナーＣ１の上に、小型折り畳みコンテナーＣ２を段積みすることができる。
【００１５】
なお、上述した実施例には、大型折り畳みコンテナーＣ１の上に、２個の小型折り畳みコンテナーＣ２を段積みした例が示されているが、小型折り畳みコンテナーＣ２の底部１０の短辺部１０ｂの横幅を、大型折り畳みコンテナーＣ１の底部１の長辺部１ａの横幅の略３分の１にすることにより、大型折り畳みコンテナーＣ１の上に、３個の小型折り畳みコンテナーＣ２を段積みすることができるし、また、小型折り畳みコンテナーＣ２の底部１０の短辺部１０ｂの横幅を、大型折り畳みコンテナーＣ１の底部１の長辺部１ａの横幅の略４分の１にすることにより、大型折り畳みコンテナーＣ１の上に、４個の小型折り畳みコンテナーＣ２を段積みすることができる。このように、適宜、適当数の小型折り畳みコンテナーＣ２を、大型折り畳みコンテナーＣ１の上に段積みすることができる。このような場合には、当然のことながら、段積みされる小型折り畳みコンテナーＣ２の底部１０の短辺部１０ｂに垂設された嵌合片１０ｄに対応して、大型折り畳みコンテナーＣ１の長側壁２のフランジ２ａには、適当数の嵌合切り欠き２ｂを形成することになる。
【００１６】
本発明においては、大型折り畳みコンテナーＣ１の長側壁２のフランジ２ａに嵌合切り欠き２ｂを設けたのみであり、フランジ２ａには嵌合突部が突設されていないので、大型折り畳みコンテナーＣ１同士を段積みする際にも、何ら障害なしに、段積みを行うことができる。特に、折り畳みコンテナーの軽量化及び折り畳み時の高さを可能な限り低くするために、長側壁２の厚さが薄い場合には、フランジ２ａの幅も当然のことながら狭いので、フランジ２ａには嵌合突部等を突設することが困難であるが、フランジ２ａの幅が狭い場合にも、嵌合切り欠き２ｂを設けることは容易であるので、小型折り畳みコンテナーＣ２が、下に位置する大型折り畳みコンテナーＣ１の長側壁２から外れて、傾いたり、落下するようなトラブルを、簡単な構造により防止することができる。
【００１７】
次に、図６〜図８を用いて、大型折り畳みコンテナーＣ１の長側壁２及び短側壁３に形成された持ち手部について説明する。
【００１８】
長側壁２の外壁面の略中央部には、所定の間隔を置いて、一対の垂直リブ２ｃが形成されており、また、垂直リブ２ｃの上部には、一対の垂直リブ２ｃを連結するように、適当数の水平リブ２ｄが形成されている。そして、一番下に位置する水平リブ２ｄ１の下面には、水平リブ２ｄ１の奥側から前方に向かって傾斜した持ち手用リブ２ｅが形成されており、長側壁２の板部２ｆと一番下に位置する水平リブ２ｄ１と持ち手用リブ２ｅと一対の垂直リブ２ｃとにより、作業者の手が挿入可能な持ち手用空間部Ｓ１が形成されている。なお、２ｇは、一対の垂直リブ２ｃの中間に形成された、フランジ２ａから持ち手用リブ２ｅまで延在する中間垂直リブである。
【００１９】
同様に、短側壁３の外壁面の略中央部にも、所定の間隔を置いて、一対の垂直リブ３ｂが形成されており、また、垂直リブ３ｂの上部にも、一対の垂直リブ３ｂを連結するように、水平リブ３ｃが形成されている。そして、水平リブ３ｃの下面には、水平リブ３ｃの奥側から前方に向かって傾斜した持ち手用リブ３ｄが形成されており、短側壁３の板部３ｅと水平リブ３ｃと持ち手用リブ３ｄと一対の垂直リブ３ｂとにより、作業者の手が挿入可能な持ち手用空間部Ｓ２が形成されている。
【００２０】
上述したように、本実施例においては、相対する長側壁２及び相対する短側壁３に、それぞれ、持ち手用リブ２ｅ、３ｄからなる持ち手部を形成したので、作業者が、持ち手部が、どちらの側壁に形成されているかを確認する必要がないので、従って、折り畳みコンテナーの運搬作業の作業性が向上する。
【００２１】
また、図１１に示されているように、従来の折り畳まれた状態の折り畳みコンテナーＣ１を、図９に示されているように、箱型に組み立てる際には、図１０に示されているように、先ず最初に、短側壁３を、略垂直に立て、その後、長側壁２を立てることになるが、長側壁２には、短側壁３に形成されているような持ち手用開口３ａがなく、しかも、長側壁２は、底部１に当接しているので、長側壁２と底部１との間には、手の指が挿入可能なような間隙が存在しないので、長側壁２には、確実な掴み所がなく、長側壁２を立てる作業の作業性が悪い。特に、折り畳みコンテナーの軽量化及び折り畳み時の高さを可能な限り低くするために、長側壁２の厚さが薄い場合には、長側壁２に形成されたリブの高さも低いので、リブを掴むことも困難であり、従って、長側壁２を立てる作業の作業性が更に悪くなる。しかしながら、本発明においては、箱型への組み立て作業の際に、後から立てられる長側壁２にも、持ち手用リブ２ｅからなる持ち手部が形成されているので、迅速に、且つ、確実に、長側壁２を立てることができるので、折り畳みコンテナーの組み立て作業の作業性が向上する。
【００２２】
また、折り畳まれた状態の折り畳みコンテナーを、ロボット等の自動機を用いて組み立てることが行われるが、この場合にも、従来の折り畳みコンテナーでは、ロボット等の自動機の爪部が引っ掛かるようなものが、長側壁２及び短側壁３には存在しないので、ロボット等の自動機により、折り畳みコンテナーを、箱型に組み立てることができなかったが、本発明の折り畳みコンテナーＣ１の長側壁２及び短側壁３には、ロボット等の自動機の爪部が引っ掛かることが可能な持ち手用リブ２ｅ、３ｄが形成されているので、ロボット等の自動機により、折り畳みコンテナーＣ１を、箱型に組み立てることができる。
【００２３】
更に、従来の折り畳みコンテナーの持ち手部のように、側壁に開口を穿設して形成された持ち手用開口３ａ、３０ａではなく、本発明においては、持ち手部を、側壁に開口を穿設することなく、持ち手用リブ２ｅ、３ｄにより形成したので、折り畳みコンテナーに収納される物品が、持ち手用開口３ａ、３０ａからこぼれ落ちるようなことがなく、従って、持ち手部を越えて、物品を収納することができる。
【００２４】
【発明の効果】
本発明は、以上説明した構成を有しているので、以下に記載する効果を奏するものである。
【００２５】
大型折り畳みコンテナーのフランジには、嵌合切り欠きを形成するとともに、小型折り畳みコンテナーの底部には、上記嵌合切り欠きに嵌合可能な嵌合片を形成したので、小型折り畳みコンテナーが、下に位置する大型折り畳みコンテナーのフランジから外れて、傾いたり、落下するようなトラブルを防止することができるとともに、安定した状態で、大型折り畳みコンテナーの上に、小型折り畳みコンテナーを段積みすることができる。
【図面の簡単な説明】
【図１】図１は本発明の折り畳みコンテナーの段積みに使用される大型折り畳みコンテナーが箱型に組み立てられた状態の斜視図である。
【図２】図２は本発明の折り畳みコンテナーの段積みに使用される小型折り畳みコンテナーが箱型に組み立てられた状態の斜視図である。
【図３】図３は本発明の折り畳みコンテナーの段積みに使用される小型折り畳みコンテナーの裏面斜視図である。
【図４】図４は本発明の折り畳みコンテナーが段積みされる直前の大型折り畳みコンテナーと小型折り畳みコンテナーの部分斜視図である。
【図５】図５は本発明の大型折り畳みコンテナーの上に小型折り畳みコンテナーが段積みされた状態の斜視図である。
【図６】図６は本発明の別の実施例の折り畳みコンテナーが箱型に組み立てられた状態の斜視図である。
【図７】図７は図６に示されている折り畳みコンテナーの部分斜視図である。
【図８】図８は同じく図６に示されている折り畳みコンテナーの部分斜視図である。
【図９】図９は従来の折り畳みコンテナーの段積みに使用される大型折り畳みコンテナーが箱型に組み立てられた状態の斜視図である。
【図１０】図１０は図９に示されている大型折り畳みコンテナーの折り畳み途中の斜視図である。
【図１１】図１１は図９に示されている大型折り畳みコンテナーが折り畳まれた状態の斜視図である。
【図１２】図１２は従来の大型折り畳みコンテナーの上に小型折り畳みコンテナーが段積みされた状態の斜視図である。
【符号の説明】
Ｃ１・・・・・・・・・・・・大型折り畳みコンテナー
Ｃ２・・・・・・・・・・・・小型折り畳みコンテナー
１、１０・・・・・・・・・・底部
２、２０・・・・・・・・・・長側壁
３、３０・・・・・・・・・・短側壁
２ｂ・・・・・・・・・・・・嵌合切り欠き
１０ｄ・・・・・・・・・・・嵌合片
【図１】
0004274718.tif 000002
【図２】
0004274718.tif 000003
【図３】
0004274718.tif 000004
【図４】
0004274718.tif 000005
【図５】
0004274718.tif 000006
【図６】
0004274718.tif 000007
【図７】
0004274718.tif 000008
【図８】
0004274718.tif 000009
【図９】
0004274718.tif 000010
【図１０】
0004274718.tif 000011
【図１１】
0004274718.tif 000012
【図１２】
0004274718.tif 000013